【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
複数のスピーカよりオーディオを再生する再生装置において、
各上記スピーカにオーディオ信号を供給する信号供給手段と、
複数種類のサラウンド音響方式のうち所望の上記サラウンド音響方式を選択する選択手段と、
上記信号供給手段と各上記スピーカ間の接続状態をオン状態とオフ状態とのどちらか一方に切り換える少なくとも１つの切換手段と、
上記選択手段により選択された上記サラウンド音響方式に応じて、上記切換手段の接続状態を制御する制御手段と
を具えることを特徴とする再生装置。
【請求項２】
複数の上記スピーカは所定の聴音位置を取り囲むように配置され、
複数の上記スピーカのうち、特定種類の上記サラウンド音響方式に対応する配置位置の近傍の各上記スピーカを併用させると共に、当該各スピーカの出力を所定レベル分下げる
ことを特徴とする請求項１に記載の再生装置。
【請求項３】
複数のスピーカよりオーディオを再生する再生方法において、
複数種類のサラウンド音響方式のうち所望の上記サラウンド音響方式を選択する第１のステップと、
上記第１のステップで選択された上記サラウンド音響方式に対応する各上記スピーカにオーディオ信号を供給するように、信号供給手段と各上記スピーカ間の接続状態をオン状態とオフ状態とのどちらか一方に切り換える第２のステップと
を具えることを特徴とする再生方法。
【請求項４】
複数の上記スピーカは所定の聴音位置を取り囲むように配置され、
上記第２のステップでは、
複数の上記スピーカのうち、特定種類の上記サラウンド音響方式に対応する配置位置の近傍の各上記スピーカを併用させると共に、当該各スピーカの出力を所定レベル分下げる
ことを特徴とする請求項３に記載の再生方法。
【手続補正２】
【補正対象書類名】明細書
【補正対象項目名】発明の名称
【補正方法】変更
【補正の内容】
【発明の名称】再生装置及び再生方法
【手続補正３】
【補正対象書類名】明細書
【補正対象項目名】０００１
【補正方法】変更
【補正の内容】
【０００１】
本発明は再生装置及び再生方法に関し、例えばマルチチャンネルのサラウンドシステムに適用して好適なものである。
【手続補正４】
【補正対象書類名】明細書
【補正対象項目名】００１０
【補正方法】変更
【補正の内容】
【００１０】
本発明は以上の点を考慮してなされたもので、簡易な構成によって最適な音場環境を提供し得る再生装置及び再生方法を提案しようとするものである。
【手続補正５】
【補正対象書類名】明細書
【補正対象項目名】００１１
【補正方法】変更
【補正の内容】
【００１１】
かかる課題を解決するため本発明においては、複数のスピーカよりオーディオを再生する再生装置において、各スピーカにオーディオ信号を供給する信号供給手段と、複数種類のサラウンド音響方式のうち所望のサラウンド音響方式を選択する選択手段と、信号供給手段と各スピーカ間の接続状態をオン状態とオフ状態とのどちらか一方に切り換える少なくとも１つの切換手段と、選択手段により選択されたサラウンド音響方式に応じて、切換手段の接続状態を制御する制御手段とを設けるようにした。
【手続補正６】
【補正対象書類名】明細書
【補正対象項目名】００１２
【補正方法】変更
【補正の内容】
【００１２】
この結果この再生装置においては、ユーザは所望の映像音声のジャンルを選択する際に、簡単な操作を行うだけで、サラウンド音響方式を変更することができることから、従来のような配線の付け替えやアンプ調整等を行う煩雑さを回避することができる。
【手続補正７】
【補正対象書類名】明細書
【補正対象項目名】００１３
【補正方法】変更
【補正の内容】
【００１３】
また本発明においては、複数のスピーカよりオーディオを再生する再生方法において、複数種類のサラウンド音響方式のうち所望のサラウンド音響方式を選択し、選択されたサラウンド音響方式に対応する各スピーカにオーディオ信号を供給するように、信号供給手段と各スピーカ間の接続状態をオン状態とオフ状態とのどちらか一方に切り換えるようにした。
【手続補正８】
【補正対象書類名】明細書
【補正対象項目名】００１４
【補正方法】変更
【補正の内容】
【００１４】
この結果この再生方法においては、ユーザは所望の映像音声のジャンルを選択する際に、簡単な操作を行うだけで、サラウンド音響方式を変更することができることから、従来のような配線の付け替えやアンプ調整等を行う煩雑さを回避することができる。
【手続補正９】
【補正対象書類名】明細書
【補正対象項目名】００１５
【補正方法】変更
【補正の内容】
【００１５】
上述のように本発明によれば、複数のスピーカよりオーディオを再生する再生装置において、各スピーカにオーディオ信号を供給する信号供給手段と、複数種類のサラウンド音響方式のうち所望のサラウンド音響方式を選択する選択手段と、信号供給手段と各スピーカ間の接続状態をオン状態とオフ状態とのどちらか一方に切り換える少なくとも１つの切換手段と、選択手段により選択されたサラウンド音響方式に応じて、切換手段の接続状態を制御する制御手段とを設けるようにしたことにより、ユーザは所望の映像音声のジャンルを選択する際に、簡単な操作を行うだけで、サラウンド音響方式を変更することができ、かくして簡易な構成によって最適な音場環境を提供し得る再生装置を実現できる。
【手続補正１０】
【補正対象書類名】明細書
【補正対象項目名】００１６
【補正方法】変更
【補正の内容】
【００１６】
また本発明によれば、複数のスピーカよりオーディオを再生する再生方法において、複数種類のサラウンド音響方式のうち所望のサラウンド音響方式を選択し、選択されたサラウンド音響方式に対応する各スピーカにオーディオ信号を供給するように、信号供給手段と各スピーカ間の接続状態をオン状態とオフ状態とのどちらか一方に切り換えるようにしたことにより、ユーザは所望の映像音声のジャンルを選択する際に、簡単な操作を行うだけで、サラウンド音響方式を変更することができ、かくして簡易な構成によって最適な音場環境を提供し得る再生方法を実現できる。
【手続補正１１】
【補正対象書類名】明細書
【補正対象項目名】００２２
【補正方法】変更
【補正の内容】
【００２２】
例えば映画鑑賞用の７．１ｃｈ方式の場合には、図２（Ａ）及び図３（Ａ）に示すように、ＡＶサラウンドシステム１のうちセンタスピーカＳＰ１、左フロントスピーカＳＰ２、右フロントスピーカＳＰ３、サラウンド左上スピーカＳＰ４、サラウンド右上スピーカＳＰ５、サラウンド左バックスピーカＳＰ８及びサラウンド右バックスピーカＳＰ９の７個のスピーカから再生音声を出力することにより、ユーザにあたかも映画館内に居るような臨場感を与えることができる。
【手続補正１２】
【補正対象書類名】明細書
【補正対象項目名】００３９
【補正方法】変更
【補正の内容】
【００３９】
（４）他の実施の構成
なお上述のように本実施の形態においては、複数のスピーカＳＰ１〜ＳＰ９が所定の聴音位置を取り囲むように配置された再生装置として、図１に示す構成からなるＡＶサラウンドシステム１を適用するようにした場合について述べたが、本発明はこれに限らず、要は、複数種類のサラウンド音響方式を実現できるように複数のスピーカが配置された構成のものであれば、この他種々の構成の再生装置に広く適用することができる。
【手続補正１３】
【補正対象書類名】明細書
【補正対象項目名】００４８
【補正方法】変更
【補正の内容】
【００４８】
再生装置及び再生方法において、ホームシアタやディジタルサウンドシステムに適用することができる。
【手続補正１４】
【補正対象書類名】図面
【補正対象項目名】図４
【補正方法】変更
【補正の内容】
【図４】
2005094159.tif 000001